(57)【要約】  少なくとも１つの販売促進物品を含む複数のオファーを配布および追跡するための規則を含む、販売促進物品および販売促進キャンペーン情報を受信し、複数のオファーを配布および追跡するための規則を含む、販売促進物品および販売促進キャンペーン情報を記憶し、１つの販売促進物品を取得し、１つの販売促進物品とともに１つのコード（または１つの検証要素）を含む１つのオファーを提供し、オファーを送信する、販売促進システムが提供される。設計は、売り場でユーザまたはユーザコンピューティングデバイスから提供される、検証要素またはコードを取得し、販売促進物品に対する引換インジケーションをトリガすることをさらに含む。設計は、販売促進物品に対する引換インジケーションを受信し、コンピューティングデバイスで維持される確立された規則によって販売促進物品のさらなる使用を制限することもまた含む。
2015508914.tif 000002
【特許請求の範囲】
【請求項１】
少なくとも１つの販売促進物品を含む複数のオファーを配布および追跡するための規則を含む、販売促進物品および販売促進キャンペーン情報を受信するように構成される受信モジュールと、
前記販売促進物品および販売促進キャンペーン情報を記憶するように構成される記憶モジュールと、
前記記憶モジュールから１つの販売促進物品を取得し、１つの販売促進物品とともに１つのコードを含む１つのオファーを提供し、前記オファーを送信するように構成される送信モジュールと、
売り場でユーザコンピューティングデバイスから提供される前記コードを取得し、それにより、前記コードに関連する前記販売促進物品に対する引換インジケーションをトリガするように構成される収集モジュールと、
前記販売促進物品に対する前記引換インジケーションを受信し、前記記憶モジュールで維持される確立された規則に従って前記販売促進物品のさらなる使用を制限するように構成される追跡モジュールと、
を備えることを特徴とする販売促進コンピューティングデバイス。
【請求項２】
請求項１に記載の販売促進コンピューティングデバイスであって、
前記ユーザデバイスにより提供される前記コードは、前記ユーザデバイスから前記販売促進コンピューティングデバイスに提供されることを特徴とする販売促進コンピューティングデバイス。
【請求項３】
請求項１に記載の販売促進コンピューティングデバイスであって、
前記ユーザデバイスにより提供される前記コードは、売り場のデバイスから前記販売促進コンピューティングデバイスに提供されることを特徴とする販売促進コンピューティングデバイス。
【請求項４】
請求項１に記載の販売促進コンピューティングデバイスであって、
前記収集モジュールは、前記引換インジケーションがトリガされた後で前記売り場および／またはユーザデバイスに承認を提供するようにさらに構成されることを特徴とする販売促進コンピューティングデバイス。
【請求項５】
請求項１に記載の販売促進コンピューティングデバイスであって、
前記追跡モジュールは、前記引換インジケーションがトリガされると前記販売促進物品を無効化するように構成されることを特徴とする販売促進コンピューティングデバイス。
【請求項６】
請求項５に記載の販売促進コンピューティングデバイスであって、
前記追跡モジュールは、前記販売促進物品の無効化のインジケーションを、少なくとも１つの売り場のコンピューティングデバイスおよび／またはユーザコンピューティングデバイスに送信するようにさらに構成されることを特徴とする販売促進コンピューティングデバイス。
【請求項７】
請求項１に記載の販売促進コンピューティングデバイスであって、
前記販売促進物品は、クーポンおよび払戻しからなる群からの１つを含むことを特徴とする販売促進コンピューティングデバイス。
【請求項８】
請求項１に記載の販売促進コンピューティングデバイスであって、
前記ユーザは、前記売り場で前記ユーザのコンピューティングデバイス上で利用可能なインジケーションを提示することが、前記引換インジケーションをトリガすることを引き起こすのに十分であることを特徴とする販売促進コンピューティングデバイス。
【請求項９】
販売促進材料を配布し、前記販売促進材料の引換を行うための方法であって、
コンピューティングデバイスが、少なくとも１つの販売促進物品を含む複数のオファーを配布および追跡するための規則を含む、販売促進物品および販売促進キャンペーン情報を受信するステップと、
前記コンピューティングデバイスで、前記複数のオファーを配布および追跡するための規則を含む、前記販売促進物品および販売促進キャンペーン情報を記憶するステップと、
１つの販売促進物品を取得し、１つの販売促進物品とともに１つのコードを含む１つのオファーを提供し、前記オファーを送信するステップと、
売り場でユーザコンピューティングデバイスから提供される前記コードを取得し、それにより、前記コードに関連する前記販売促進物品に対する引換インジケーションをトリガするステップと、
前記販売促進物品に対する前記引換インジケーションを受信し、前記コンピューティングデバイスで維持される確立された規則に従って前記販売促進物品のさらなる使用を制限するステップと、
を含むことを特徴とする方法。
【請求項１０】
請求項９に記載の方法であって、前記ユーザデバイスにより提供される前記コードは、前記ユーザデバイスから前記コンピューティングデバイスに提供されることを特徴とする方法。
【請求項１１】
請求項９に記載の方法であって、前記ユーザデバイスにより提供される前記コードは、売り場のデバイスから前記コンピューティングデバイスに提供されることを特徴とする方法。
【請求項１２】
請求項９に記載の方法であって、
前記引換インジケーションがトリガされた後に前記売り場および／またはユーザデバイスに承認を提供するステップをさらに含むことを特徴とする方法。
【請求項１３】
請求項９に記載の方法であって、
前記引換インジケーションがトリガされると前記販売促進物品を無効化するステップをさらに含むことを特徴とする方法。
【請求項１４】
請求項１３に記載の方法であって、
前記販売促進物品の無効化のインジケーションを、少なくとも１つの売り場および／またはユーザコンピューティングデバイスに送信するステップをさらに含むことを特徴とする方法。
【請求項１５】
請求項９に記載の方法であって、
前記販売促進材料は、クーポンおよび払戻しからなる群からの１つを含むことを特徴とする方法。
【請求項１６】
請求項９に記載の方法であって、
前記ユーザは、前記売り場で前記ユーザのコンピューティングデバイス上で利用可能なインジケーションを提示することが、前記引換インジケーションをトリガすることを引き起こすのに十分であることを特徴とする方法。
【請求項１７】
少なくとも１つの販売促進物品を含む複数のオファーを配布および追跡するための規則を含む、販売促進物品および販売促進キャンペーン情報を受信するように構成される受信モジュールと、
前記販売促進物品および販売促進キャンペーン情報を記憶するように構成される記憶モジュールと、
前記記憶モジュールから１つの販売促進物品を取得し、１つの販売促進物品とともに１つの検証要素を含む１つのオファーを提供し、前記オファーを送信するように構成される送信モジュールと、
売り場でユーザコンピューティングデバイスから提供される前記検証要素を取得し、それにより、前記検証要素に関連する前記販売促進物品に対する引換インジケーションをトリガし、前記ユーザが前記売り場で特典を取得することを可能にするように構成される収集モジュールと、
前記販売促進物品に対する前記引換インジケーションを受信し、確立された規則に従って前記販売促進物品のさらなる使用を制限するように構成される追跡モジュールと、
を備えることを特徴とする販売促進コンピューティングデバイス。
【請求項１８】
請求項１７に記載の販売促進コンピューティングデバイスであって、
前記ユーザにより提供される前記検証要素は、ユーザデバイスから前記販売促進コンピューティングデバイスに提供されることを特徴とする販売促進コンピューティングデバイス。
【請求項１９】
請求項１７に記載の販売促進コンピューティングデバイスであって、
前記ユーザにより提供される前記検証要素は、売り場のデバイスで受信され、前記検証要素の受信のインジケーションが、前記売り場のデバイスから前記販売促進コンピューティングデバイスに送信されることを特徴とする販売促進コンピューティングデバイス。
【請求項２０】
請求項１７に記載の方法であって、前記ユーザは、前記売り場で前記ユーザのコンピューティングデバイス上で利用可能なインジケーションを提示することが、前記引換インジケーションをトリガすることを引き起こすのに十分であることを特徴とする販売促進コンピューティングデバイス。
【請求項２１】
請求項１７に記載の販売促進コンピューティングデバイスであって、
前記収集モジュールは、引換情報を受信するようにさらに構成され、
前記引換情報は、引換の日時、前記引換の地理的位置、前記引換を引き起こす前記ユーザに関するユーザ行動データ、および前記引換に関連する販売員データからなる群からの１つを含むことを特徴とする販売促進コンピューティングデバイス。
【発明の詳細な説明】
【技術分野】
【０００１】
本発明は、一般的には、モバイルデバイス、および、そのようなデバイスによるクーポンなどの販売促進材料の使用の技術に関し、より詳細には、モバイルデバイスを使用する販売促進材料の配布、追跡、および引換に関する。
【背景技術】
【０００２】
現在の商店主は、関心があるユーザに販売促進オファーおよび関係のある情報を配布することに非常に関心がある。現今のユーザの多くは、スマートフォンなどのモバイルデバイスを用いており、小売業者および商店主は、そのようなユーザに販売促進材料を提供することを望んでいる。
【０００３】
従来型の紙クーポンは周知である。従来型のクーポンは紙によってユーザに配布され、ユーザは、それらのクーポンを手に取り、または、それらのクーポンを雑誌もしくは新聞から切り取り、それらのクーポンについて商店主のところで引換を行い、値引きもしくは販売促進物−金銭的な割引、１つ分の値段で２つのもの、景品等を取得することが可能である。現在の小売業者および商店主は、一般大衆が了知し受け入れるようになったこのモデルに依拠することに関心がある。
【０００４】
紙クーポンは、バーコードリーダを使用してスキャンすることを可能にするバーコードまたはインジケーションを備える場合がある。これらのコードの多くは、例えば食料雑貨店で精算の列に並ぶユーザに、購入された物品に関して２０セントの割引を取得する特典を提供するように、簡単にスキャンされる。そのようなバーコードは、典型的には追跡目的で用いられるものではなく、そのような使用は近年に増大したものである。さらに、そのようなクーポンを印刷する際に、それらのクーポンに、印刷媒体において動的な個別化されたバーコードまたは情報を付与することは非常に高価であり、その結果それらのクーポンは、典型的には一様の識別する情報を備えるだけであることに留意されたい。したがって、クーポンを保持する商店主または小売業者が、購入者がクーポンをどこで取得したかを知るのが困難である、または不可能である場合がある。
【０００５】
紙クーポンはまた、それらが紙として散乱した状態になり、記録が一般的には保存されず、そのことによって、引換が行われ、運送の際に失われたときに、店にはそれらのクーポンが発送されたという証拠が残らない点でも問題がある。さらに、ある売り場では、実際には行われなかった販売に対してクーポンを提出することにより補償が求められたことが知られている。
【０００６】
紙クーポンは、典型的には色彩を使用して印刷され、相当に高品質の印刷技法を使用して印刷される。その結果、普通に利用可能なコピーデバイスを使用してコピーすることは、コピーされたクーポンは多くの場合容易に識別され得るので、典型的には不成功に終わる。したがって、クーポンの複数のコピーが様々な形態で配布され得るが、個人は、２回以上クーポンを使用すること、または友人にクーポンを提供することは困難である。
【０００７】
このことは、デジタル環境には当てはまらない。現在ではスマートフォンが、販売促進物、航空券情報等のような物品を表示するために使用されており、そのスマートフォンをスキャナの前面に置くことが可能である。スキャナを使用して、スマートフォン上に表示される画像を決定し、スマートフォン上に表示される情報を、取得された情報に基づいて処置するコンピューティングデバイスに送信することが可能である。販売促進材料の電子バージョンは劣化しないので、電子クーポンを取得する個人は、電子クーポンを再使用することが可能であり、電子クーポンを友人に送信することが可能であり、または、電子クーポンを、その個人が自身でその電子クーポンを使用した後に友人のために使用することが可能である。
【０００８】
さらに紙クーポンに関する場合と同じように、電子販売促進材料またはクーポンに関する問題は、それらの電子販売促進材料またはクーポンを追跡するのが困難である、または不可能である場合があることである。商店主および小売業者は、販売促進材料の使用、特に、ユーザが販売促進材料をどこで取得したか、そのユーザがそれらの販売促進材料をいつ取得したか、そのユーザがそれらの販売促進材料をいつ使用したか、および場合によってはそのユーザの関心などの属性を、それらの販売促進材料が商店主または購入される物品に関係する際に追跡することに非常に関心がある。そのような情報は、現今の電子環境では、特に、ある決まった売り場のみが特別な販売箇所（ＰＯＳ）ハードウェアおよび／またはソフトウェアを使用して引換を供与するという事実に鑑みると、典型的には利用可能ではない。
【０００９】
他の問題が、デジタル販売促進物品またはクーポンに関して存在する。引換の箇所ではキャッシュレジスタまたは他のデバイス内に置かれる実際の物理的な物品がないので、非良心的な売り場の販売員が、売り場で既知のモバイル値引きコードを入力し、値引き額を事実上着服することが可能である。例えば駐車場係員は、自分が５０の１ドル割引モバイルクーポンを受け取ったと入力することが可能であり、５０ドルを着服する。モバイルクーポンは駐車場係員により確かめられるだけであるので、物理的な値引きの追跡は存在し得ない。別の例は給仕であり、その給仕は現金で支払を受けるが、自分は２０パーセント割引モバイルクーポンを提示されたと、実際にはその給仕がそうではなかったときにキャッシュレジスタに打ち込み、伝票の８０パーセントを入金し、残りの２０パーセントを自分のものにする。これらの事態の両方とも望ましくはない。
【００１０】
前述のことに基づいて、以前から既知の設計において存在する欠点を克服する、新しい媒体デバイスに対する販売促進オファーおよび広告材料の、効率的な配布および追跡のための処理を提供することが有利であることになる。
【発明の概要】
【課題を解決するための手段】
【００１１】
本発明の設計の１つの態様によれば、少なくとも１つの販売促進物品を含む複数のオファーを配布および追跡するための規則を含む、販売促進物品および販売促進キャンペーン情報を受信し、複数のオファーを配布および追跡するための規則を含む、販売促進物品および販売促進キャンペーン情報を記憶し、１つの販売促進物品を取得し、１つの販売促進物品とともに１つのコード（または１つの検証要素）を含む１つのオファーを提供し、オファーを送信する、販売促進システムが提供される。設計は、売り場でユーザまたはユーザコンピューティングデバイスから提供される、検証要素またはコードを取得し、販売促進物品に対する引換インジケーションをトリガすることをさらに含む。設計は、販売促進物品に対する引換インジケーションを受信し、コンピューティングデバイスで維持される確立された規則によって販売促進物品のさらなる使用を制限することもまた含む。
【００１２】
本発明のこれらおよび他の利点が、本発明の以下の詳細な説明および付随する図面から当業者に明らかになろう。
【００１３】
本発明は、付随する図面の図において、例示的なものであり、限定するものではなく例示される。
【図面の簡単な説明】
【００１４】
【図１】本発明のシステム１００の概略的な構成要素を例示する図である。
【図２】本出願の設計の動作の概略的なフローチャートである。
【図３】本発明の設計の代替的な表現を示す図である。
【発明を実施するための形態】
【００１５】
以下の説明および図面は、十分に当業者が、説明するシステムおよび方法を実践することを可能にするように、特定の実施形態を例示する。他の実施形態は、構造的な、論理的な、処理および他の変更を組み込むことが可能である。例は単に、可能な変化を典型的に表す。個々の構成要素および機能は、明示的に必要とされない限りは一般的には任意選択であり、動作の順序は変動し得る。一部の実施形態の一部分および特徴的機能が、他の実施形態の一部分および特徴的機能に含まれる場合があり、または、他の実施形態の一部分および特徴的機能の代わりに用いられる場合がある。
【００１６】
本発明の設計は、ユーザまたは顧客がスマートフォンまたは他のモバイルデバイス上で、クーポンまたは他の販売促進材料を取得すること、ユーザが小売業者のところでクーポンまたは販売促進物品の引換を行うこと、およびクーポンの引換を追跡することを可能にする。販売促進物品のそのような管理および追跡によって、小売業者はまた、１回だけなど、販売促進物が用いられ得る回数の数を制限することが可能になる。クーポンまたは販売促進物品に対する有効期限を守らせることも可能である。
【００１７】
図１は、本発明のシステム１００の概略的な構成要素を例示する。ユーザまたは顧客１０１は、スマートフォンまたは他の適切なコンピューティングデバイス１０３を用いることが可能である。事業者（小売業者、商店主、製造業者、広告主等）などの企業体（ｅｎｔｉｔｙ）１０２は、ユーザまたは顧客１０１に、そのユーザまたは顧客１０１のコンピューティングデバイス１０３を介して販売促進物品を送信することが可能である。次いで顧客１０１は、その顧客１０１のコンピューティングデバイス１０３を、事業所または売り場１０４に持参することが可能であり、アプリケーションを使用して、または、ｓｍｓ、インスタントメッセージ、電子メール、もしくはウェブブラウザを介して、販売促進物品を提示することが可能である。販売促進物品は様々な形態で入手することが可能であり、ユーザまたは事業所１０４の販売員のいずれかが、物理的もしくは仮想的なボタンを押すことが可能であり、アプリケーション内にコードを打ち込むことが可能であり、デバイス１０３のスワイプなどの何らかのタイプの物理的な処置を遂行することが可能であり、ｓｍｓもしくは別の形態のインスタントメッセージングを使用して、販売促進物品を返信する、もしくは別の方法で送信することが可能であり、または、音声コマンドを用いて販売促進材料を取得することが可能である。販売促進材料を、バーコードスキャナ、ＱＲコード（登録商標）スキャナ、または、他のコードスキャナもしくはグラフィックスキャナなどのスキャナを使用して取得することもまた可能である。商店主もしくはサードパーティが、ユーザをＧＰＳ位置などのそのユーザのスマートフォンから利用可能な情報に基づいて追跡することもまた可能であり、または、スマートフォンが、例えばＢｌｕｅｔｏｏｔｈ（登録商標）通信、Ｗｉ−Ｆｉ、ＲＦＩＤ、もしくは他の適切な通信技法を使用して、商店主もしくは小売業者の事業所１０４と通信することが可能である。
【００１８】
販売促進オファーを、ＧＰＳ（全地球測位システム）により決定された位置に基づいて消費者／ユーザに利用可能にすることが可能である。さらには、ユーザがそのユーザのデバイスを小売業者または売り場で有するときなどに、引換がＧＰＳ位置に基づいてトリガされる場合があり、または、販売促進材料がＧＰＳ位置に基づいて取得／提供される場合がある。
【００１９】
様々なコードを、販売促進物品とともに提供することが可能であり、商店主または小売業者の事業所１０４に伝達することが可能である。一意的な識別コードが含まれ得るものであり、または、販売促進情報がユーザ１０１によって、もしくは事業所１０４によってのいずれかでどのように使用され得るか、有効期限コード、販売促進物品の引換が行われるときに、もしくは行われた後に連絡がとられるべきであるサーバの、位置もしくはＵＲＬなどの処理情報、利用可能な使用の数等々を示す他のコードが含まれ得る。そのような情報を、標準的なフォーマット、または、小売業者、商店主、もしくは一部のサードパーティにより所望される特定のフォーマットで付加することが可能である。
【００２０】
販売促進材料とともに提供されるコードは、事業所１０４で商店主または小売業者に利用可能であり、すべての情報、または、販売促進材料に関連する選択情報のみが、コンピューティングデバイス１０３から事業所１０４により取得され得る。コンピューティングデバイス１０３から事業所１０４への、またはその逆の情報の伝達は、引換トリガとみなされる。
【００２１】
コードおよび情報を、図１に例示する概略的な表現において様々な形で提供することが可能である。例としてコードを、広告主からユーザのデバイスに、販売促進材料またはオファーとともに提供することが可能である。ロック解除コードなどの異なるコードを、適正な識別が行われたときに、第三者またはリモートデバイスから売り場に提供することが可能であり、すなわち、ユーザへのオファーまたは特典をロック解除する「ロック解除」コードを、売り場または商店主１０４に提供することが可能である。そのようなロック解除コードを、広告主またはキャンペーンを開始する企業体により確立された規則および条件に基づいて、視覚的検証が提供されるときに提供することが可能である。
【００２２】
１つの実施形態では、引換をトリガすると、または、引換トリガが有効であるようにすると、スマートフォンまたはコンピューティングデバイス１０３は、引換トリガを記録することが可能である。次いでスマートフォンまたはコンピューティングデバイス１０３は、直ちに、または後の時間にのいずれかで、サーバまたは他のデバイス１０５に、引換トリガ、コードまたは他の情報を送信することが可能である。図１では２つの別々の構成要素として図示するが、サーバまたは他のデバイス１０５は、企業体もしくは事業者１０２に関連し得る、または、企業体もしくは事業者１０２で保有され得ることを理解されたい。サーバまたは他のデバイス１０５は、受信器１０６でデータを受信し、プロセッサ１０７でデータを処理し、記憶デバイス（図示せず）上で関連性のある情報を維持することが可能である。代替的には情報を、スマートフォンまたはコンピューティングデバイス１０３上で維持し、プロセッサ（図示せず）を使用してスマートフォンまたはコンピューティングデバイス上で処理することが可能であり、処理された情報を、後の時間にサーバまたは他のデバイス１０５に送信することが可能である。
【００２３】
サーバまたはリモートデバイス１０５は、商店主または別の企業体により、制御および／または操作され得るものであり、（引換トリガの前に、コード、配布、キャンペーン、および他の情報を提供する）販売促進オファーを確立する能力、ならびに、引換がトリガされた後の機能性の両方を含み得る。
【００２４】
販売促進オファーがユーザに提供される前に、サーバまたはリモートデバイス１０５はインタフェースモジュールを用い、従業員が、販売促進物品に対する識別コード（一意的コードまたは共通コード）、引換位置、そのような販売促進材料が提供され得る回数の量、有効期限等々を確立することを含めて、特定の引換キャンペーンを確立することが可能である。
【００２５】
本発明の設計の１つの態様は、小売業者または商店主の事業所１０４が、複雑なコード、または単語もしくは３桁の数などの単純なコードであり得るコードをユーザのコンピューティングデバイス１０３上で示されることによって、あるいは電子的な送信（ｓｍｓまたはテキスト、Ｂｌｕｅｔｏｏｔｈ（登録商標）等）によってコードを受信することによって、のいずれかで、コードを取得することが可能であることである。小売業者または商店主の事業所１０４の販売員（従業者等）は、コードを閲覧することによって、または、ユーザのデバイス１０３からの送信によって何らかの様式で受信することによって、のいずれかでコードを取得することが可能である。販売員は、サーバまたはリモートデバイス１０５と連絡をとるように構成される、小売業者または商店主の事業所１０４で維持されるデバイスなどのデバイス上でコードを入力することが可能である。コードは、音声認識または顔認識情報、クレジットカード情報の検証、ユーザおよび／またはそのユーザの電話もしくはコンピューティングデバイスを識別する数またはコード、あるいは他の既知の検証方法を含むユーザおよび／または販売促進物のユーザの所有を検証することになる、利用可能な任意のものであり得る。
【００２６】
本発明の設計の別の態様は、小売業者または商店主の事業所１０４が、複雑なコード、または単語もしくは３桁の数などの単純なコードであり得る、リモートサーバデバイス１０５からコードを、あるいは電子的な送信（ｓｍｓまたはテキスト、Ｂｌｕｅｔｏｏｔｈ（登録商標）等）によってコードを受信することにより、取得することが可能であることである。小売業者または商店主の事業所１０４の販売員（従業者等）は、コードを閲覧することによって、またはリモートサーバデバイス１０５からの送信によって何らかの様式で受信することによって、のいずれかでコードを取得することが可能である。次いで事業者１０４の販売員は、スマートフォンなどのユーザデバイス１０３上でコードを入力し、引換をトリガすることが可能である。コードは、音声認識または顔認識情報、クレジットカード情報の検証、事業者１０４を識別する数またはコードを含む、事業者１０４および／または販売促進物の事業者の受け入れを検証することになる、利用可能な任意のものであり得る。
【００２７】
販売促進物品の通信が行われると、すなわち、ユーザのスマートフォンまたはコンピューティングデバイス１０３から、小売業者または商店主の事業所１０４のコンピューティングデバイスに、任意の様式で販売促進物品またはクーポンを電子的に、または売り場の販売員を介して提供すると、情報が、小売業者または商店主の事業所１０４のコンピューティングデバイスから、サーバまたはリモートデバイス１０５に送信され、サーバまたはリモートデバイス１０５での処理が行われる。処理は、小売業者もしくは商店主の事業所１０４のコンピューティングデバイスに、および／またはユーザのスマートフォンもしくはコンピューティングデバイス１０３に戻るように伝達される、特典または値引きの承認を含み得るとともに、追加的な情報を含み得る。
【００２８】
ユーザのコンピューティングデバイス１０３、小売業者もしくは商店主の事業所のコンピューティングデバイス、あるいは小売業者もしくは商店主の事業所に関連するコンピューティングデバイスのいずれかからの情報の送信は、販売促進物品を発行する企業体などの企業体によって可能となり、どの販売促進物品の引換が行われたか、どの時間にか、どこでか、および任意の他の関連のある利用可能な情報を追跡することが可能になる。販売促進物品とともに提供されるコードは、ユーザのコンピューティングデバイス１０３に対して利用可能である場合にＧＰＳ追跡を提供することが可能であるように、ある種の情報を提供することが可能である。したがってサーバまたはリモートデバイス１０５は、引換トリガに基づいて情報を取得する（すなわち、ユーザのコンピューティングデバイス１０３、または商店主もしくは小売業者の事業所１０４からの送信）だけでなく、全地球測位（ＧＰＳ）追跡チャネルなどの他のチャネルからもまた取得することが可能である。
【００２９】
ある種の情報を、利用可能である場合、および所望される場合、状況に応じて収集することが可能である。年齢、性別、位置、クーポン使用の頻度、ウェブサイト訪問情報、ユーザ嗜好等々のような情報をそのような情報を供与することに決めたユーザのためにである。そのような情報を提供することを望まないユーザは、販売促進材料を配布する企業体にそのような情報を提供しないことになる。
【００３０】
本発明の設計によれば、販売促進材料を提供する企業体は、クーポンまたは販売促進物品の引換が、何度、およびどのような状況のもとで行われ得るかを、ならびに、販売促進物品の引換が、いつ、およびどのような状況のもとで行われ得るかさえも制御することが可能である。例えば発行する企業体は、半額割引クーポンは顧客につき１週間に１回引換が行われ得るだけである、または、販売促進物は顧客もしくはユーザが販売促進物を受け取った１週間後まで利用可能になり得ないことを命じることが可能である。実質的には、任意の規則または条件を課すことが可能である。
【００３１】
ユーザコンピューティングデバイス１０３が、ユーザに、クーポンカートまたはショッピングカートなどのユーザデバイスアプリケーションを提供するように構成される場合があり、そのアプリケーションは、すべての販売促進材料を収集するように、または５０パーセント割引コンピュータＲＡＭおよびコンピュータＲＡＭのオファーなど、販売促進材料および製品もしくはサービスを収集するように構成される場合がある。ユーザは、そのユーザが小売店などの特定の位置にいるときに情報または構成が供与される場合がある。そして、販売促進物が、そのユーザが店内にいるときに、そのユーザが店内にいるときもしくはそのユーザが出た後のその日の残りの間、または提供される任意の他の条件に従って単にそのユーザに供与される場合がある。そのように構成されるユーザデバイスは、オファーが１日に１回有効である場合に、ユーザデバイスが各日にオファーをリセットするように構成され得るなど、再活動化をユーザに提供することもまた可能である。活動状態の販売促進物品または情報を、ユーザにより入力されたようなユーザ位置に基づいて、またはＧＰＳなどの測位に基づいて提供することが可能である。クーポンまたはオファーは、ユーザが文字列または情報を入力し、コンピューティングデバイスが所望の情報の検索を遂行するので、キーワード、位置、事業者等々により検索可能である。デバイスが、期限切れの販売促進情報または使用された販売促進物をユーザに提供するように構成される場合もあり、そのことによってユーザが、販売促進物を追跡し、場合によってはウェブサイトまたは小売業者を再訪問して情報を取得する場合がある。クーポン／販売促進物の再活動化を、ユーザデバイス１０３への送信により直接、サーバまたはリモートデバイス１０５からトリガすることもまた可能である。
【００３２】
図２は、システムに関する概略的な全体的なフローチャートを例示する。箇所２０１では企業体が、グラフィックスまたは関連性のある情報を含むオファーを、コード等のようなオファーとともに提供されることになる情報に加えて生成する。提供されるオファーはまた、任意の引換情報を含む。引換情報は、特定のコードが提供される、あるいはユーザの正当性が確認されるまで、ユーザは販売促進物または特典を受信しない等々のような、規則または条件を含む。箇所２０２は、１つのウェブサイトもしくは複数のサイト上に販売促進物を置くことによって、要求を基に情報を送出することによって、登録申込させられた人にテキストメッセージによって送出することによって、あるいは紙クーポンを提供することを含む、オファーを伝達する任意の他の方法によってなどでの、販売促進材料の展開を表す。箇所２０３では、ユーザは、商店主または小売業者の位置などの位置を訪問し、物品を買い入れる、サービスを購入する、あるいは単純にそのユーザ自身が販売員の前に現れるなどの、オファーの条件を満たすように努めることが可能である。箇所２０４では、ユーザは、そのユーザのコンピューティングデバイスを使用してオファーを提示する。
【００３３】
箇所２０５は、ユーザもしくは売り場の販売員が承認を電子的に求めること、または、商店主もしくは小売業者がユーザもしくはオファーを検証することのいずれかにより、オファーの正当性を確認する。箇所２０５は引換トリガを表す。箇所２０６では、情報が、ユーザ、引換を行う商店主、あるいは売り場の企業体のいずれかにより、小売業者により制御される現場外のサーバなどの企業体に送信される。箇所２０７において、情報は処理され、箇所２０８は、引換が行われたオファーの数の報告等々のような任意選択の報告を表す。図示しないが、更新される情報（新しいオファー、オファーの期限満了等）を送信すること、ならびに、適切でユーザのコンピューティングデバイスまたはスマートフォンにより提供される情報を収集することが、図２の処置に並行して進行している場合がある。
【００３４】
このように本発明の設計によって、販売促進材料を配布し、その販売促進材料の引換を行うための装置および方法が提供される。設計は、コンピューティングデバイスで、少なくとも１つの販売促進物品を含む複数のオファーを配布および追跡するための規則を含む販売促進物品および販売促進キャンペーン情報を受信すること、コンピューティングデバイスで、複数のオファーを配布および追跡するための規則を含む販売促進物品および販売促進キャンペーン情報を記憶すること、少なくとも１つの販売促進物品を取得し、少なくとも１つの販売促進物品とともに、少なくとも１つのコードあるいは少なくとも１つの検証認要素を含む少なくとも１つのオファーを提供すること、を含み、ユーザにオファーを送信する。検証要素は、記したように、顔認識、売り場の販売員による視覚的認識、音声認識、１つのコードおよび／または１組のコード、パスワード、秘密の単語、引換トリガ単語等を含めて、販売促進物品を検証し、ユーザが特典を取得することを可能にするために使用され得る任意のものである。
【００３５】
設計は、売り場でユーザまたはユーザコンピューティングデバイスから提供される検証要素またはコードを取得し、それにより、検証要素またはコードに関連する販売促進物品に対する引換インジケーションをトリガすることをさらに含む。設計はまた、販売促進物品に対する引換インジケーションを受信し、コンピューティングデバイスで維持される確立された規則によって販売促進物品のさらなる使用を制限することを含む。ユーザが、売り場でそのユーザのコンピューティングデバイス上で利用可能なインジケーションを提示することが、引換インジケーションをトリガすることを引き起こすのに十分である。商店主が、ユーザデバイスに関する検証を提供することにより引換をトリガすることもまた可能である。
【００３６】
図３は、本発明の設計によるサーバまたはデバイス１０５の代替的な表現を例示する。図３から、受信モジュール３０１が、所望の、または承認された供給源から、販売促進物品および販売促進キャンペーン情報を受信する。規則をまた、受信モジュール３０１によって提供することも可能である。記憶モジュール３０２を、設計において、受信モジュール３０１および任意の他の構成要素により提供される情報を記憶するように設けることが可能である。送信モジュール３０３は、記憶モジュール３０２から販売促進物品およびキャンペーン情報（規則等）を取得し、ウェブサイトに、ユーザ等に販売促進材料を含むオファーを送信する。収集モジュール３０４は、売り場で提供される引換トリガ情報（コード、検証、検証要素、時間、日、ユーザ行動データ、人口統計データ、ＧＰＳ情報等）を取得し、販売促進物品および検証要素に対する引換インジケーションをトリガする。追跡モジュール３０５は、引換インジケーションを受信し、販売促進物品のさらなる使用を制限する（例えば、時間を基準にして使用を無効化する、制限する等）。
【００３７】
ユーザデバイスにより提供されるコードは、ユーザデバイス、または売り場のデバイスからコンピューティングデバイスに提供され得る。設計は、引換インジケーションがトリガされた後に売り場に承認を提供すること、ならびに引換インジケーションがトリガされた後で、販売促進物品を無効化することとを含み得る。販売促進物品のそのような無効化のインジケーションを、少なくとも１つの売り場のコンピューティングデバイスに送信することが可能である。
【００３８】
本明細書で説明した販売促進材料または販売促進物品は、クーポンおよび払戻しを含む、ただしそれらに限定されない、任意のタイプの販売促進物品を含み得る。払戻しに関しては、具体的にはユーザは、購入のときに、ある書式でメールを送る等のことを行うのではなく、特典を留保することが可能であることがもたらされ得るものであり、そのことは特に、限られた数の払戻しが供与されるときに有益であり得る。
【００３９】
その全体を本願に引用して援用する、２００９年１０月２日に出願した、米国特許出願第１２／５８７，１４７号、名称「Ｓｙｓｔｅｍ  ａｎｄ  Ｍｅｔｈｏｄ  ｆｏｒ  Ｃｏｍｍｕｎｉｃａｔｉｎｇ  Ｐｒｏｍｏｔｉｏｎａｌ  Ｉｎｆｏｒｍａｔｉｏｎ」、発明者ダグラス  Ｈ．カト（Ｄｏｕｇｌａｓ  Ｈ．  Ｋａｔｏ）において反映されている設計を含む、ただしそれに限定されない、販売促進情報の通信を行うためのシステムとともに、またはそのシステムと連関して、本発明の設計を用いることが可能である。
【００４０】
本明細書で提示する設計および例示する特定の態様は、限定するものではないものとし、本発明の教示および利益を変わらずに組み込みながら、代替的な構成要素を含むことが可能である。したがって、本発明をその特定の実施形態に関連して説明したが、本発明はさらなる変形が可能であることが理解されよう。本出願は、一般的には本発明の原理にしたがい、本発明が属する技術の範囲内の既知であり通例の実践の範囲内にあるような本開示からの逸脱を含む、本発明のいかなる変化、使用、または適合も網羅することが意図される。
【００４１】
特定の実施形態の前述の説明は、他者が、現在の知識を適用することにより、一般的な概念から逸脱することなく様々な用途に対してシステムおよび方法を、容易に変形および／または適合させることが可能であるという、本開示の一般的な性質を十分に明らかにしている。したがってそのような適合および変形は、開示した実施形態の等価物の趣意および範囲を超えるものではない。本明細書で用いる表現法または専門用語は、説明を目的としたものであり、限定を目的としたものではない。
【図１】
2015508914.tif 000003
【図２】
2015508914.tif 000004
【図３】
2015508914.tif 000005
【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
少なくとも１つの販売促進物品を含む複数のオファーを配布および追跡するための規則を含む、販売促進物品および販売促進キャンペーン情報を受信するように構成される受信モジュールと、
前記販売促進物品および販売促進キャンペーン情報を記憶するように構成される記憶モジュールと、
前記記憶モジュールから１つの販売促進物品を取得し、１つの販売促進物品とともに１つのコードを含む１つのオファーを提供し、前記オファーを送信するように構成される送信モジュールと、
前記販売促進物品に対する引換インジケーションを受信し、前記記憶モジュールで維持される確立された規則に従って前記販売促進物品のさらなる使用を制限するように構成される追跡モジュールと、
を備え、
売り場は、ユーザコンピューティングデバイスにより提供される前記コードを受信するように構成され、前記販売促進コンピューティングデバイスから提供される情報に基づいて前記コードを検証し、それにより、前記コードに関連する前記販売促進物品に対する前記引換インジケーションをトリガするように構成されることを特徴とする販売促進コンピューティングデバイス。
【請求項２】
請求項１に記載の販売促進コンピューティングデバイスであって、
前記ユーザデバイスにより提供される前記コードは、前記ユーザデバイスから前記販売促進コンピューティングデバイスに提供されることを特徴とする販売促進コンピューティングデバイス。
【請求項３】
請求項１に記載の販売促進コンピューティングデバイスであって、
前記ユーザデバイスにより提供される前記コードは、売り場のデバイスから前記販売促進コンピューティングデバイスに提供されることを特徴とする販売促進コンピューティングデバイス。
【請求項４】
請求項１に記載の販売促進コンピューティングデバイスであって、
前記収集モジュールは、前記引換インジケーションがトリガされた後で前記売り場および／またはユーザデバイスに承認を提供するようにさらに構成されることを特徴とする販売促進コンピューティングデバイス。
【請求項５】
請求項１に記載の販売促進コンピューティングデバイスであって、
前記追跡モジュールは、前記引換インジケーションがトリガされると前記販売促進物品を無効化するように構成されることを特徴とする販売促進コンピューティングデバイス。
【請求項６】
請求項５に記載の販売促進コンピューティングデバイスであって、
前記追跡モジュールは、前記販売促進物品の無効化のインジケーションを、少なくとも１つの売り場のコンピューティングデバイスおよび／またはユーザコンピューティングデバイスに送信するようにさらに構成されることを特徴とする販売促進コンピューティングデバイス。
【請求項７】
請求項１に記載の販売促進コンピューティングデバイスであって、
前記販売促進物品は、クーポンおよび払戻しからなる群からの１つを含むことを特徴とする販売促進コンピューティングデバイス。
【請求項８】
請求項１に記載の販売促進コンピューティングデバイスであって、
前記ユーザは、前記売り場で前記ユーザのコンピューティングデバイス上で利用可能なインジケーションを提示することが、前記引換インジケーションをトリガすることを引き起こすのに十分であることを特徴とする販売促進コンピューティングデバイス。
【請求項９】
販売促進材料を配布し、前記販売促進材料の引換を行うための方法であって、
コンピューティングデバイスが、少なくとも１つの販売促進物品を含む複数のオファーを配布および追跡するための規則を含む、販売促進キャンペーン情報を受信するステップと、
前記コンピューティングデバイスで、前記複数のオファーを配布および追跡するための規則を含む、前記少なくとも１つの販売促進物品および販売促進キャンペーン情報を記憶するステップと、
１つの販売促進物品を取得し、１つの販売促進物品とともに１つのコードを含む１つのオファーを提供し、前記オファーを送信するステップと、
売り場で前記コードおよびユーザからの処置からなる群からの１つを取得し、それにより、前記販売促進物品に対する引換インジケーションをトリガするステップと、
前記コンピューティングデバイスが、前記販売促進物品に対する前記引換インジケーションを受信し、前記コンピューティングデバイスで維持される確立された規則に従って前記販売促進物品のさらなる使用を制限するステップと、
を含むことを特徴とする方法。
【請求項１０】
請求項９に記載の方法であって、
前記コードは、ユーザデバイスから前記コンピューティングデバイスに提供されることを特徴とする方法。
【請求項１１】
請求項９に記載の方法であって、
前記コードは、売り場のデバイスから前記コンピューティングデバイスに提供されることを特徴とする方法。
【請求項１２】
請求項９に記載の方法であって、
前記引換インジケーションがトリガされた後に前記売り場および／またはユーザデバイスに承認を提供するステップをさらに含むことを特徴とする方法。
【請求項１３】
請求項９に記載の方法であって、
前記引換インジケーションがトリガされると前記販売促進物品を無効化するステップをさらに含むことを特徴とする方法。
【請求項１４】
請求項１３に記載の方法であって、
前記販売促進物品の無効化のインジケーションを、少なくとも１つの売り場および／またはユーザコンピューティングデバイスに送信するステップをさらに含むことを特徴とする方法。
【請求項１５】
請求項９に記載の方法であって、
前記販売促進材料は、クーポンおよび払戻しからなる群からの１つを含むことを特徴とする方法。
【請求項１６】
請求項９に記載の方法であって、
前記ユーザは、前記売り場で前記ユーザのコンピューティングデバイス上で利用可能なインジケーションを提示することが、前記引換インジケーションをトリガすることを引き起こすのに十分であることを特徴とする方法。
【請求項１７】
少なくとも１つの販売促進物品を含む複数のオファーを配布および追跡するための規則を含む、販売促進物品および販売促進キャンペーン情報を受信するように構成される受信モジュールと、
前記販売促進物品および販売促進キャンペーン情報を記憶するように構成される記憶モジュールと、
前記記憶モジュールから１つの販売促進物品を取得し、１つの販売促進物品とともに１つの検証要素を含む１つのオファーを提供し、前記オファーを送信するように構成される送信モジュールと、
前記販売促進物品に対する引換インジケーションを受信し、確立された規則に従って前記販売促進物品のさらなる使用を制限するように構成される追跡モジュールと、
を備え、
売り場は、ユーザコンピューティングデバイスにより提供される前記検証要素を受信するように構成され、前記販売促進コンピューティングデバイスから提供される情報に基づいて前記検証要素を検証し、それにより、前記検証要素に関連する前記販売促進物品に対する前記引換インジケーションをトリガするように構成されることを特徴とする販売促進コンピューティングデバイス。
【請求項１８】
請求項１７に記載の販売促進コンピューティングデバイスであって、
前記ユーザにより提供される前記検証要素は、ユーザデバイスから前記販売促進コンピューティングデバイスに提供されることを特徴とする販売促進コンピューティングデバイス。
【請求項１９】
請求項１７に記載の販売促進コンピューティングデバイスであって、
前記ユーザにより提供される前記検証要素は、売り場のデバイスで受信され、前記検証要素の受信のインジケーションが、前記売り場のデバイスから前記販売促進コンピューティングデバイスに送信されることを特徴とする販売促進コンピューティングデバイス。
【請求項２０】
請求項１７に記載の販売促進コンピューティングデバイスであって、
前記ユーザは、前記売り場で前記ユーザのコンピューティングデバイス上で利用可能なインジケーションを提示することが、前記引換インジケーションをトリガすることを引き起こすのに十分であることを特徴とする販売促進コンピューティングデバイス。
【請求項２１】
請求項１７に記載の販売促進コンピューティングデバイスであって、
前記収集モジュールは、引換情報を受信するようにさらに構成され、
前記引換情報は、引換の日時、前記引換の地理的位置、前記引換を引き起こす前記ユーザに関するユーザ行動データ、および前記引換に関連する販売員データからなる群からの１つを含むことを特徴とする販売促進コンピューティングデバイス。
【請求項２２】
顧客にオファーを配布し、前記顧客は売り場で前記オファーの引換を行うことを可能にするための方法であって、
コンピューティングデバイスから引換インジケーションを含む１つのオファーを顧客デバイスに送信するステップと、
前記コンピューティングデバイスから前記売り場に提供された情報に基づいて、前記売り場で前記顧客デバイスに送信された前記引換インジケーションを取得し、それにより、前記引換インジケーションが、提供された前記情報と一致するときに、前記引換インジケーションに関連する前記販売促進物品に対する引換インジケーション承認をトリガするステップと、
前記売り場から前記コンピューティングデバイスに前記引換インジケーション承認を送信するステップと、
前記コンピューティングデバイスで維持される確立された規則に従って前記販売促進物品のさらなる使用を制限するステップと、
を含むことを特徴とする方法。
【請求項２３】
請求項２２に記載の方法であって、
前記コンピューティングデバイスから送信する前記ステップは、ＳＭＳ（ショートメッセージングサービス）によって行われることを特徴とする方法。
【手続補正２】
【補正対象書類名】明細書
【補正対象項目名】全文
【補正方法】変更
【補正の内容】
【発明の詳細な説明】
【技術分野】
【０００１】
本発明は、一般的には、モバイルデバイス、および、そのようなデバイスによるクーポンなどの販売促進材料の使用の技術に関し、より詳細には、モバイルデバイスを使用する販売促進材料の配布、追跡、および引換に関する。
【背景技術】
【０００２】
現在の商店主は、関心があるユーザに販売促進オファーおよび関係のある情報を配布することに非常に関心がある。現今のユーザの多くは、スマートフォンなどのモバイルデバイスを用いており、小売業者および商店主は、そのようなユーザに販売促進材料を提供することを望んでいる。
【０００３】
従来型の紙クーポンは周知である。従来型のクーポンは紙によってユーザに配布され、ユーザは、それらのクーポンを手に取り、または、それらのクーポンを雑誌もしくは新聞から切り取り、それらのクーポンについて商店主のところで引換を行い、値引きもしくは販売促進物−金銭的な割引、１つ分の値段で２つのもの、景品等を取得することが可能である。現在の小売業者および商店主は、一般大衆が了知し受け入れるようになったこのモデルに依拠することに関心がある。
【０００４】
紙クーポンは、バーコードリーダを使用してスキャンすることを可能にするバーコードまたはインジケーションを備える場合がある。これらのコードの多くは、例えば食料雑貨店で精算の列に並ぶユーザに、購入された物品に関して２０セントの割引を取得する特典を提供するように、簡単にスキャンされる。そのようなバーコードは、典型的には追跡目的で用いられるものではなく、そのような使用は近年に増大したものである。さらに、そのようなクーポンを印刷する際に、それらのクーポンに、印刷媒体において動的な個別化されたバーコードまたは情報を付与することは非常に高価であり、その結果それらのクーポンは、典型的には一様の識別する情報を備えるだけであることに留意されたい。したがって、クーポンを保持する商店主または小売業者が、購入者がクーポンをどこで取得したかを知るのが困難である、または不可能である場合がある。
【０００５】
紙クーポンはまた、それらが紙として散乱した状態になり、記録が一般的には保存されず、そのことによって、引換が行われ、運送の際に失われたときに、店にはそれらのクーポンが発送されたという証拠が残らないという点でもまた問題がある。さらに、ある売り場では、実際には行われなかった販売に対してクーポンを提出することにより補償を求められたことが知られている。
【０００６】
紙クーポンは、典型的には色彩を使用して印刷され、相当に高品質の印刷技法を使用して印刷される。その結果、普通に利用可能なコピーデバイスを使用してコピーすることは、コピーされたクーポンは多くの場合容易に識別され得るので、典型的には不成功に終わる。したがって、クーポンの複数のコピーが様々な形態で配布され得るが、個人は、２回以上クーポンを使用すること、または友人にクーポンを提供することは困難である。
【０００７】
このことは、デジタル環境には当てはまらない。現在ではスマートフォンが、販売促進物、航空券情報等のような物品を表示するために使用されており、そのスマートフォンをスキャナの前面に置くことが可能である。スキャナを使用して、スマートフォン上に表示される画像を決定し、スマートフォン上に表示される情報を、取得された情報に基づいて処置するコンピューティングデバイスに送信することが可能である。販売促進材料の電子バージョンは劣化しないので、電子クーポンを取得する個人は、電子クーポンを再使用することが可能であり、電子クーポンを友人に送信することが可能であり、または、電子クーポンを、その個人が自身でその電子クーポンを使用した後に友人のために使用することが可能である。
【０００８】
さらに紙クーポンに関する場合と同じように、電子販売促進材料またはクーポンに関する問題は、それらの電子販売促進材料またはクーポンを追跡するのが困難である、または不可能である場合があることである。商店主および小売業者は、販売促進材料の使用、特に、ユーザが販売促進材料をどこで取得したか、そのユーザがそれらの販売促進材料をいつ取得したか、そのユーザがそれらの販売促進材料をいつ使用したか、および場合によってはそのユーザの関心などの属性を、それらの販売促進材料が商店主または購入される物品に関係する際に追跡することに非常に関心がある。そのような情報は、現今の電子環境では、特に、ある決まった売り場のみが特別な売り場（ＰＯＳ）ハードウェアおよび／またはソフトウェアを使用して引換を供与するという事実に鑑みると、典型的には利用可能ではない。
【０００９】
他の問題が、デジタル販売促進物品またはクーポンに関して存在する。引換の箇所ではキャッシュレジスタまたは他のデバイス内に置かれる実際の物理的な物品がないので、非良心的な売り場の販売員が、売り場で既知のモバイル値引きコードを入力し、値引き額を事実上着服することが可能である。例えば駐車場係員は、自分が５０の１ドル割引モバイルクーポンを受け取ったと入力することが可能であり、５０ドルを着服する。モバイルクーポンは駐車場係員により確かめられるだけであるので、物理的な値引きの追跡は存在し得ない。別の例は給仕であり、その給仕は現金で支払を受けるが、自分は２０パーセント割引モバイルクーポンを提示されたと、実際にはその給仕がそうではなかったときにキャッシュレジスタに打ち込み、伝票の８０パーセントを入金し、残りの２０パーセントを自分のものにする。これらの事態の両方とも望ましくはない。
【００１０】
前述のことに基づいて、以前から既知の設計において存在する欠点を克服する、新しい媒体デバイスに対する販売促進オファーおよび広告材料の、効率的な配布および追跡のための処理を提供することが有利であることになる。
【発明の概要】
【課題を解決するための手段】
【００１１】
本発明の設計の１つの態様によれば、少なくとも１つの販売促進物品を含む複数のオファーを配布および追跡するための規則を含む、販売促進物品および販売促進キャンペーン情報を受信し、複数のオファーを配布および追跡するための規則を含む、販売促進物品および販売促進キャンペーン情報を記憶し、１つの販売促進物品を取得し、１つの販売促進物品とともに１つのコード（または１つの検証要素）を含む１つのオファーを提供し、オファーを送信する、販売促進システムが提供される。設計は、売り場でユーザまたはユーザコンピューティングデバイスから提供される、検証要素またはコードを取得し、販売促進物品に対する引換インジケーションをトリガすることをさらに含む。設計は、販売促進物品に対する引換インジケーションを受信し、コンピューティングデバイスで維持される確立された規則によって販売促進物品のさらなる使用を制限することもまた含む。
【００１２】
本発明のこれらおよび他の利点が、本発明の以下の詳細な説明および付随する図面から当業者に明らかになろう。
【００１３】
本発明は、付随する図面の図において、例示的なものであり、限定するものではなく例示される。
【図面の簡単な説明】
【００１４】
【図１】本発明のシステム１００の概略的な構成要素を例示する図である。
【図２】本出願の設計の動作の概略的なフローチャートである。
【図３】本発明の設計の代替的な表現を示す図である。
【発明を実施するための形態】
【００１５】
以下の説明および図面は、十分に当業者が、説明するシステムおよび方法を実践することを可能にするように、特定の実施形態を例示する。他の実施形態は、構造的な、論理的な、処理および他の変更を組み込むことが可能である。例は単に、可能な変化を典型的に表す。個々の構成要素および機能は、明示的に必要とされない限りは一般的には任意選択であり、動作の順序は変動し得る。一部の実施形態の一部分および特徴的機能が、他の実施形態の一部分および特徴的機能に含まれる場合があり、または、他の実施形態の一部分および特徴的機能の代わりに用いられる場合がある。
【００１６】
本発明の設計は、ユーザまたは顧客がスマートフォンまたは他のモバイルデバイス上で、クーポンまたは他の販売促進材料を取得すること、ユーザが小売業者のところでクーポンまたは販売促進物品の引換を行うこと、およびクーポンの引換を追跡することを可能にする。販売促進物品のそのような管理および追跡によって、小売業者はまた、１回だけなど、販売促進物が用いられ得る回数の数を制限することが可能になる。クーポンまたは販売促進物品に対する有効期限を守らせることも可能である。
【００１７】
図１は、本発明のシステム１００の概略的な構成要素を例示する。ユーザまたは顧客１０１は、スマートフォンまたは他の適切なコンピューティングデバイス１０３を用いることが可能である。事業者（小売業者、商店主、製造業者、広告主等）などの企業体（ｅｎｔｉｔｙ）１０２は、ユーザまたは顧客１０１に、そのユーザまたは顧客１０１のコンピューティングデバイス１０３を介して販売促進物品を送信することが可能である。次いで顧客１０１は、その顧客１０１のコンピューティングデバイス１０３を、事業所または売り場１０４に持参することが可能であり、アプリケーションを使用して、または、ｓｍｓ、インスタントメッセージ、電子メール、もしくはウェブブラウザを介して、販売促進物品を提示することが可能である。販売促進物品は様々な形態で入手することが可能であり、ユーザまたは事業所１０４の販売員のいずれかが、物理的もしくは仮想的なボタンを押すことが可能であり、アプリケーション内にコードを打ち込むことが可能であり、デバイス１０３のスワイプなどの何らかのタイプの物理的な処置を遂行することが可能であり、ｓｍｓもしくは別の形態のインスタントメッセージングを使用して、販売促進物品を返信する、もしくは別の方法で送信することが可能であり、または、音声コマンドを用いて販売促進材料を取得することが可能である。販売促進材料を、バーコードスキャナ、ＱＲコード（登録商標）スキャナ、または、他のコードスキャナもしくはグラフィックスキャナなどのスキャナを使用して取得することもまた可能である。商店主もしくはサードパーティが、ユーザをＧＰＳ位置などのそのユーザのスマートフォンから利用可能な情報に基づいて追跡することもまた可能であり、または、スマートフォンが、例えばＢｌｕｅｔｏｏｔｈ（登録商標）通信、Ｗｉ−Ｆｉ、ＲＦＩＤ、もしくは他の適切な通信技法を使用して、商店主もしくは小売業者の事業所１０４と通信することが可能である。
【００１８】
販売促進オファーを、ＧＰＳ（全地球測位システム）により決定された位置に基づいて消費者／ユーザに利用可能にすることが可能である。さらには、ユーザがそのユーザのデバイスを小売業者または売り場の場所で有するときなどに、引換がＧＰＳ位置に基づいてトリガされる場合があり、または、販売促進材料がＧＰＳ位置に基づいて取得／提供される場合がある。
【００１９】
様々なコードを、販売促進物品とともに提供することが可能であり、商店主または小売業者の事業所１０４に伝達することが可能である。一意的な識別コードが含まれ得るものであり、または、販売促進情報がユーザ１０１によって、もしくは事業所１０４によってのいずれかでどのように使用され得るか、有効期限コード、販売促進物品の引換が行われるときに、もしくは行われた後に連絡がとられるべきであるサーバの、位置もしくはＵＲＬなどの処理情報、利用可能な使用の数等々を示す他のコードが含まれ得る。そのような情報を、標準的なフォーマット、または、小売業者、商店主、もしくは一部のサードパーティにより所望される特定のフォーマットで付加することが可能である。
【００２０】
販売促進材料とともに提供されるコードは、事業所１０４で商店主または小売業者に利用可能であり、すべての情報、または、販売促進材料に関連する選択情報のみが、コンピューティングデバイス１０３から事業所１０４により取得され得る。コンピューティングデバイス１０３から事業所１０４への、またはその逆の情報の伝達は、引換トリガとみなされる。
【００２１】
コードおよび情報を、図１に例示する概略的な表現において様々な形で提供することが可能である。例としてコードを、広告主からユーザのデバイスに、販売促進材料またはオファーとともに提供することが可能である。ロック解除コードなどの異なるコードを、適正な識別が行われたときに、第三者またはリモートデバイスから売り場に提供することが可能であり、すなわち、ユーザへのオファーまたは特典をロック解除する「ロック解除」コードを、売り場または商店主１０４に提供することが可能である。そのようなロック解除コードを、広告主またはキャンペーンを開始する企業体により確立された規則および条件に基づいて、視覚的検証が提供されるときに提供することが可能である。
【００２２】
１つの実施形態では、引換をトリガすると、または、引換トリガが有効であるようにすると、スマートフォンまたはコンピューティングデバイス１０３は、引換トリガを記録することが可能である。次いでスマートフォンまたはコンピューティングデバイス１０３は、直ちに、または後の時間にのいずれかで、サーバまたは他のデバイス１０５に、引換トリガ、コードまたは他の情報を送信することが可能である。図１では２つの別々の構成要素として図示するが、サーバまたは他のデバイス１０５は、企業体もしくは事業者１０２に関連し得る、または、企業体もしくは事業者１０２で保有され得ることを理解されたい。サーバまたは他のデバイス１０５は、受信器１０６でデータを受信し、プロセッサ１０７でデータを処理し、記憶デバイス（図示せず）上で関連性のある情報を維持することが可能である。代替的には情報を、スマートフォンまたはコンピューティングデバイス１０３上で維持し、プロセッサ（図示せず）を使用してスマートフォンまたはコンピューティングデバイス上で処理することが可能であり、処理された情報を、後の時間にサーバまたは他のデバイス１０５に送信することが可能である。
【００２３】
サーバまたはリモートデバイス１０５は、商店主または別の企業体により、制御および／または操作され得るものであり、（引換トリガの前に、コード、配布、キャンペーン、および他の情報を提供する）販売促進オファーを確立する能力、ならびに、引換がトリガされた後の機能性の両方を含み得る。
【００２４】
販売促進オファーがユーザに提供される前に、サーバまたはリモートデバイス１０５はインタフェースモジュールを用い、従業員が、販売促進物品に対する識別コード（一意的コードまたは共通コード）、引換位置、そのような販売促進材料が提供され得る回数の量、有効期限等々を確立することを含めて、特定の引換キャンペーンを確立することが可能である。
【００２５】
本発明の設計の１つの態様は、小売業者または商店主の事業所１０４が、複雑なコード、または単語もしくは３桁の数などの単純なコードであり得るコードをユーザのコンピューティングデバイス１０３上で示されることによって、あるいは、電子的な送信（ｓｍｓまたはテキスト、Ｂｌｕｅｔｏｏｔｈ（登録商標）等）によってコードを受信することによって、のいずれかで、コードを取得することが可能であることである。小売業者または商店主の事業所１０４の販売員（従業者等）は、コードを閲覧することによって、または、ユーザのデバイス１０３からの送信によって何らかの様式で受信することによって、のいずれかでコードを取得することが可能である。販売員は、サーバまたはリモートデバイス１０５と連絡をとるように構成される、小売業者または商店主の事業所１０４で維持されるデバイスなどのデバイス上でコードを入力することが可能である。コードは、音声認識または顔認識情報、クレジットカード情報の検証、ユーザおよび／またはそのユーザの電話もしくはコンピューティングデバイスを識別する数またはコード、あるいは他の既知の検証方法を含むユーザおよび／または販売促進物のユーザの所有を検証することになる、利用可能な任意のものであり得る。
【００２６】
本発明の設計の別の態様は、小売業者または商店主の事業所１０４が、複雑なコード、または単語もしくは３桁の数などの単純なコードであり得る、リモートサーバデバイス１０５からコードを、あるいは電子的な送信（ｓｍｓまたはテキスト、Ｂｌｕｅｔｏｏｔｈ（登録商標）等）によってコードを受信することにより、取得することが可能であることである。小売業者または商店主の事業所１０４の販売員（従業者等）は、コードを閲覧することによって、またはリモートサーバデバイス１０５からの送信によって何らかの様式で受信することによって、のいずれかでコードを取得することが可能である。次いで事業者１０４の販売員は、スマートフォンなどのユーザデバイス１０３上でコードを入力し、引換をトリガすることが可能である。コードは、音声認識または顔認識情報、クレジットカード情報の検証、事業者１０４を識別する数またはコードを含む、事業者１０４および／または販売促進物の事業者の受け入れを検証することになる、利用可能な任意のものであり得る。
【００２７】
販売促進物品の通信が行われると、すなわち、ユーザのスマートフォンまたはコンピューティングデバイス１０３から、小売業者または商店主の事業所１０４のコンピューティングデバイスに、任意の様式で販売促進物品またはクーポンを電子的に、または売り場の販売員を介して提供すると、情報が、小売業者または商店主の事業所１０４のコンピューティングデバイスから、サーバまたはリモートデバイス１０５に送信され、サーバまたはリモートデバイス１０５での処理が行われる。処理は、小売業者もしくは商店主の事業所１０４のコンピューティングデバイスに、および／またはユーザのスマートフォンもしくはコンピューティングデバイス１０３に戻るように伝達される、特典または値引きの承認を含み得るとともに、追加的な情報を含み得る。
【００２８】
ユーザのコンピューティングデバイス１０３、小売業者もしくは商店主の事業所のコンピューティングデバイス、あるいは小売業者もしくは商店主の事業所に関連するコンピューティングデバイスのいずれかからの情報の送信は、販売促進物品を発行する企業体などの企業体によって可能となり、どの販売促進物品の引換が行われたか、どの時間にか、どこでか、および任意の他の関連のある利用可能な情報を追跡することが可能になる。販売促進物品とともに提供されるコードは、ユーザのコンピューティングデバイス１０３に対して利用可能である場合にＧＰＳ追跡を提供することが可能であるように、ある種の情報を提供することが可能である。したがってサーバまたはリモートデバイス１０５は、引換トリガに基づいて情報を取得する（すなわち、ユーザのコンピューティングデバイス１０３、または商店主もしくは小売業者の事業所１０４からの送信）だけでなく、全地球測位（ＧＰＳ）追跡チャネルなどの他のチャネルからもまた取得することが可能である。
【００２９】
ある種の情報を、利用可能である場合、および所望される場合、状況に応じて収集することが可能である。年齢、性別、位置、クーポン使用の頻度、ウェブサイト訪問情報、ユーザ嗜好等々のような情報をそのような情報を供与することに決めたユーザのためにである。そのような情報を提供することを望まないユーザは、販売促進材料を配布する企業体にそのような情報を提供しないことになる。
【００３０】
本発明の設計によれば、販売促進材料を提供する企業体は、クーポンまたは販売促進物品の引換が、何度、およびどのような状況のもとで行われ得るかを、ならびに、販売促進物品の引換が、いつ、およびどのような状況のもとで行われ得るかさえも制御することが可能である。例えば発行する企業体は、半額割引クーポンは顧客につき１週間に１回引換が行われ得るだけである、または、販売促進物は顧客もしくはユーザが販売促進物を受け取った１週間後まで利用可能になり得ないことを命じることが可能である。実質的には、任意の規則または条件を課すことが可能である。
【００３１】
ユーザコンピューティングデバイス１０３が、ユーザに、クーポンカートまたはショッピングカートなどのユーザデバイスアプリケーションを提供するように構成される場合があり、そのアプリケーションは、すべての販売促進材料を収集するように、または５０パーセント割引コンピュータＲＡＭおよびコンピュータＲＡＭのオファーなど、販売促進材料および製品もしくはサービスを収集するように構成される場合がある。ユーザは、そのユーザが小売店などの特定の位置にいるときに情報または構成が供与される場合がある。そして、販売促進物が、そのユーザが店内にいるときに、そのユーザが店内にいるときもしくはそのユーザが出た後のその日の残りの間、または提供される任意の他の条件に従って単にそのユーザに供与される場合がある。そのように構成されるユーザデバイスは、オファーが１日に１回有効である場合に、ユーザデバイスが各日にオファーをリセットするように構成され得るなど、再活動化をユーザに提供することもまた可能である。活動状態の販売促進物品または情報を、ユーザにより入力されたようなユーザ位置に基づいて、またはＧＰＳなどの測位に基づいて提供することが可能である。クーポンまたはオファーは、ユーザが文字列または情報を入力し、コンピューティングデバイスが所望の情報の検索を遂行するので、キーワード、位置、事業者等々により検索可能である。デバイスが、期限切れの販売促進情報または使用された販売促進物をユーザに提供するように構成される場合もあり、そのことによってユーザが、販売促進物を追跡し、場合によってはウェブサイトまたは小売業者を再訪問して情報を取得する場合がある。クーポン／販売促進物の再活動化を、ユーザデバイス１０３への送信により直接、サーバまたはリモートデバイス１０５からトリガすることもまた可能である。
【００３２】
図２は、システムに関する概略的な全体的なフローチャートを例示する。箇所２０１では企業体が、グラフィックスまたは関連性のある情報を含むオファーを、コード等のようなオファーとともに提供されることになる情報に加えて生成する。提供されるオファーはまた、任意の引換情報を含む。引換情報は、特定のコードが提供される、あるいはユーザの正当性が確認されるまで、ユーザは販売促進物または特典を受信しない等々のような、規則または条件を含む。箇所２０２は、１つのウェブサイトもしくは複数のサイト上に販売促進物を置くことによって、要求を基に情報を送出することによって、登録申込させられた人にテキストメッセージによって送出することによって、あるいは紙クーポンを提供することを含む、オファーを伝達する任意の他の方法によってなどでの、販売促進材料の展開を表す。箇所２０３では、ユーザは、商店主または小売業者の位置などの位置を訪問し、物品を買い入れる、サービスを購入する、あるいは単純にそのユーザ自身が販売員の前に現れるなどの、オファーの条件を満たすように努めることが可能である。箇所２０４では、ユーザは、そのユーザのコンピューティングデバイスを使用してオファーを提示する。
【００３３】
箇所２０５は、ユーザもしくは売り場の販売員が承認を電子的に求めること、または、商店主もしくは小売業者がユーザもしくはオファーを検証することのいずれかにより、オファーの正当性を確認する。箇所２０５は引換トリガを表す。箇所２０６では、情報が、ユーザ、引換を行う商店主、あるいは売り場の企業体のいずれかにより、小売業者により制御される現場外のサーバなどの企業体に送信される。箇所２０７において、情報は処理され、箇所２０８は、引換が行われたオファーの数の報告等々のような任意選択の報告を表す。図示しないが、更新される情報（新しいオファー、オファーの期限満了等）を送信すること、ならびに、適切でユーザのコンピューティングデバイスまたはスマートフォンにより提供される情報を収集することが、図２の処置に並行して進行している場合がある。
【００３４】
このように本発明の設計によって、販売促進材料を配布し、その販売促進材料の引換を行うための装置および方法が提供される。設計は、コンピューティングデバイスで、少なくとも１つの販売促進物品を含む複数のオファーを配布および追跡するための規則を含む販売促進物品および販売促進キャンペーン情報を受信すること、コンピューティングデバイスで、複数のオファーを配布および追跡するための規則を含む販売促進物品および販売促進キャンペーン情報を記憶すること、少なくとも１つの販売促進物品を取得し、少なくとも１つの販売促進物品とともに、少なくとも１つのコードあるいは少なくとも１つの検証認要素を含む少なくとも１つのオファーを提供すること、を含み、ユーザにオファーを送信する。検証要素は、記したように、顔認識、売り場の販売員による視覚的認識、音声認識、１つのコードおよび／または１組のコード、パスワード、秘密の単語、引換トリガ単語等を含めて、販売促進物品を検証し、ユーザが特典を取得することを可能にするために使用され得る任意のものである。
【００３５】
設計は、売り場でユーザまたはユーザコンピューティングデバイスから提供される検証要素またはコードを取得し、それにより、検証要素またはコードに関連する販売促進物品に対する引換インジケーションをトリガすることをさらに含む。設計はまた、販売促進物品に対する引換インジケーションを受信し、コンピューティングデバイスで維持される確立された規則によって販売促進物品のさらなる使用を制限することを含む。ユーザが、売り場でそのユーザのコンピューティングデバイス上で利用可能なインジケーションを提示することが、引換インジケーションをトリガすることを引き起こすのに十分である。商店主が、ユーザデバイスに関する検証を提供することにより引換をトリガすることもまた可能である。
【００３６】
図３は、本発明の設計によるサーバまたはデバイス１０５の代替的な表現を例示する。図３から、受信モジュール３０１が、所望の、または承認された供給源から、販売促進物品および販売促進キャンペーン情報を受信する。規則をまた、受信モジュール３０１によって提供することも可能である。記憶モジュール３０２を、設計において、受信モジュール３０１および任意の他の構成要素により提供される情報を記憶するように設けることが可能である。送信モジュール３０３は、記憶モジュール３０２から販売促進物品およびキャンペーン情報（規則等）を取得し、ウェブサイトに、ユーザ等に販売促進材料を含むオファーを送信する。収集モジュール３０４は、売り場で提供される引換トリガ情報（コード、検証、検証要素、時間、日、ユーザ行動データ、人口統計データ、ＧＰＳ情報等）を取得し、販売促進物品および検証要素に対する引換インジケーションをトリガする。追跡モジュール３０５は、引換インジケーションを受信し、販売促進物品のさらなる使用を制限する（例えば、時間を基準にして使用を無効化する、制限する等）。
【００３７】
ユーザデバイスにより提供されるコードは、ユーザデバイス、または売り場のデバイスからコンピューティングデバイスに提供され得る。設計は、引換インジケーションがトリガされた後に売り場に承認を提供すること、ならびに引換インジケーションがトリガされた後で、販売促進物品を無効化することとを含み得る。販売促進物品のそのような無効化のインジケーションを、少なくとも１つの売り場のコンピューティングデバイスに送信することが可能である。
【００３８】
本明細書で説明した販売促進材料または販売促進物品は、クーポンおよび払戻しを含む、ただしそれらに限定されない、任意のタイプの販売促進物品を含み得る。払戻しに関しては、具体的にはユーザは、購入のときに、ある書式でメールを送る等のことを行うのではなく、特典を留保することが可能であることがもたらされ得るものであり、そのことは特に、限られた数の払戻しが供与されるときに有益であり得る。
【００３９】
その全体を本願に引用して援用する、２００９年１０月２日に出願した、米国特許出願第１２／５８７，１４７号、名称「Ｓｙｓｔｅｍ  ａｎｄ  Ｍｅｔｈｏｄ  ｆｏｒ  Ｃｏｍｍｕｎｉｃａｔｉｎｇ  Ｐｒｏｍｏｔｉｏｎａｌ  Ｉｎｆｏｒｍａｔｉｏｎ」、発明者ダグラス  Ｈ．カト（Ｄｏｕｇｌａｓ  Ｈ．  Ｋａｔｏ）において反映されている設計を含む、ただしそれに限定されない、販売促進情報の通信を行うためのシステムとともに、またはそのシステムと連関して、本発明の設計を用いることが可能である。
【００４０】
当業者によりさらに十分認識され得るように、本発明の設計を、本明細書で開示した利益の多くを呈する状態で単純化することが可能である。例として、タブレットまたはスマートフォンによる送信が既知の任意の様式において存在し得るが、特定の送信フォーマットがすべての局面において用いられることは必要ではない。２つの企業体間でのシステム内の任意の箇所での、またはすべての箇所での送信は、ウェブサイト上の情報の選択による電子的な送信、ワイヤレスもしくは有線の送信、ＳＭＳ（テキスト）、電子メール、または、状況のもとで適切な任意の他の通信方法を含む、任意の形態をとり得る。
【００４１】
本明細書で提供する開示による単純化された送信体系の１つの例が、図４に図示されている。この配置構成ではＳＭＳメッセージが、顧客またはユーザによる情報の送信および受信において用いられる。図４は、事業者運営モジュール４０１、ならびに、データベースを含み得る制御されるコンピューティング配置構成４０２を例示する。箇所４０３では、店のチェーンＴに対する衣類に関する１０パーセント割引などの、新しい取引またはオファーが生成される。箇所４０４において、事業者運営モジュールは、引換コードを生成するために用いられ、箇所４０５において、ユーザにより使用可能な短いコードは、生成させられ得る。短いコードが図４で示されるが、任意のタイプのコードまたはインジケーションを用い、ユーザに提供して、そのユーザが販売促進物を受信したことを検証することが可能である。
【００４２】
箇所４０６は、販売促進物に関する報告を生成するために使用される報告モジュールである。事業者運営モジュール４０１は、箇所４０７に図示するように、制御されるコンピューティング配置構成４０２に、短いコードを含む新しい取引を送信することが可能であり、ユーザが、この局面においてＳＭＳによって取引を受信するようにそのユーザの嗜好を設定していた場合、箇所４１２で図示するように、ユーザに対して、店Ｔでの１０パーセント割引をそのユーザに注意喚起するＳＭＳメッセージが送信され得るものであり、そのＳＭＳメッセージは、ＳＭＳメッセージ内に取引に関連する短いコードを含む。箇所４１３では、顧客にその顧客の短いコードを送信するように要請し、そのことをその顧客はＳＭＳを使用して行うことが可能である。箇所４０８では、顧客から受信された短いコードをＴ店の取引に関する短いコードと照合し、顧客に取引の権利が付与されていることを検証する。箇所４０９では、事業者および取引情報が、やはりＳＭＳによって顧客に送信され得るものであり、送信される情報は、取引、取引が取得され得る／取引の引換が行われ得る特定の事業者、および取引の引換に関する命令を含み得る。引換コードは、典型的には単に、取引またはオファーの引換をどこでどのように行うかに関する指示において提供される場合もあれば提供されない場合もある。
【００４３】
次いで顧客は、所望の施設で取引の引換を行うことを求めることが可能である。箇所４１５において、その顧客は、店Ｔでの１０パーセント割引の取引を、所望の施設に提示し、店Ｔは、引換コード、顧客連絡情報（携帯電話番号等）、引換が行われている取引、および／または他の関連のある情報などの情報を、制御されるコンピューティング配置構成４０２に送信することが可能である。この情報は、ＳＭＳメッセージによってなど、任意の様式で送信され得る。箇所４１１において、制御されるコンピューティング配置構成４０２は、店に、および／または顧客に、テキストによって確認値を提供すること、顧客に２回以上取引の引換を行わせないように（その顧客がそのようにすることが許されていない限り）取引を使用不能にすること、店を信用する、または引換を追跡すること、ならびに、店Ｔの引換、この顧客による引換、引換の総数、時間枠の範囲内の引換等々のような、任意の適切な目的での報告統計値を提供することを含めて、取引を確認、追跡、および／または報告することが可能である。箇所４１６において、顧客は、小売施設、すなわち店Ｔに確認インジケーションを示し、その顧客の１０パーセント割引を得ることを示すものである。確認インジケーションは、顧客に対して、この例ではやはりＳＭＳによって、その顧客の識別データ、および取引を受信する適格性の検証を基に送信され得る。
【００４４】
したがって本発明の設計を、電子メール、テキスト（ＳＭＳ）を含む単一モードの通信を使用して、ウェブサイト、または任意の適切なモードの通信によって、部分的に、または完全な形で用いることが可能である。
【００４５】
したがって本発明の設計を、顧客にオファーを配布し、顧客が売り場でオファーの引換を行うことを可能にするための方法をさらに含むように考慮することが可能である。方法は、コンピューティングデバイスから引換インジケーションを含む１つのオファーを顧客デバイスに送信するステップと、売り場で顧客デバイスに送信された引換インジケーションを取得し、それにより、引換インジケーションに関連する販売促進物品に対する引換インジケーション承認をトリガするステップと、売り場からコンピューティングデバイスに引換インジケーション承認を送信するステップと、コンピューティングデバイスで維持される確立された規則によって販売促進物品のさらなる使用を制限するステップとを含む。
【００４６】
本明細書で提示する設計および例示する特定の態様は、限定するものではないものとし、本発明の教示および利益を変わらずに組み込みながら、代替的な構成要素を含むことが可能である。したがって、本発明をその特定の実施形態に関連して説明したが、本発明はさらなる変形が可能であることが理解されよう。本出願は、一般的には本発明の原理にしたがい、本発明が属する技術の範囲内の既知であり通例の実践の範囲内にあるような本開示からの逸脱を含む、本発明のいかなる変化、使用、または適合も網羅することが意図される。
【００４７】
特定の実施形態の前述の説明は、他者が、現在の知識を適用することにより、一般的な概念から逸脱することなく様々な用途に対してシステムおよび方法を、容易に変形および／または適合させることが可能であるという、本開示の一般的な性質を十分に明らかにしている。したがってそのような適合および変形は、開示した実施形態の等価物の趣意および範囲を超えるものではない。本明細書で用いる表現法または専門用語は、説明を目的としたものであり、限定を目的としたものではない。
【手続補正３】
【補正対象書類名】図面
【補正対象項目名】全図
【補正方法】変更
【補正の内容】
【図１】
2015508914.tif 000006
【図２】
2015508914.tif 000007
【図３】
2015508914.tif 000008
【図４】
2015508914.tif 000009
【国際調査報告】
2015508914.tif 000010